(57)【要約】【課題】簡単な構造で操作性にすぐれたレンズキャップを提供する。【解決手段】レンズキャップ１を、レンズ鏡筒に装着される枠部材２と、枠部材２が嵌め込まれるベース部材３と、ベース部材３に回動可能に連結される蓋部材４と、蓋部材４に着脱自在に嵌装される遮光板５とで構成し、ベース部材３の外周側に、被押圧部３２１と解除部３２２とを有し、被押圧部３２１が押圧されることで解除部３２２により蓋部材４を回動可能とする摘み３２を設け、この摘み３２に包囲された位置に略山型突起３１１を設け、蓋部材４にベース部材３の略山型突起３１１に係合する略山型下向き突起４１１を含む延出部４１０を設ける。【選択図】図１
2013161033.tif 000002
【特許請求の範囲】
【請求項１】
連結部が設けられた中空円板状のベース部材と、
前記連結部に連結され、前記ベース部材に対して回動可能となる蓋部材と、
を有し、
前記ベース部材の外周側に、被押圧部と解除部とを有し、前記被押圧部が押圧されることで前記解除部により前記蓋部材を前記ベース部材から開放して回動可能とする操作部材が設けられるとともに、前記操作部材に包囲された位置にベース側係合部が設けられ、
前記蓋部材に、前記ベース側係合部に係合する蓋側係合部が設けられている、
ことを特徴とするレンズキャップ。
【請求項２】
前記蓋部材に着脱自在に嵌装されるカバー部材を有する、
ことを特徴とする請求項１に記載のレンズキャップ。
【発明の詳細な説明】
【技術分野】
【０００１】
本発明は、レンズ鏡筒に装着されるレンズキャップに関する。
【背景技術】
【０００２】
デジタルスチルカメラあるいはビデオカメラ等の光学機器では、撮影レンズを保護するため、レンズ鏡筒の先端に、撮影を行わないときに取付け、撮影を行うときに取り外すレンズキャップが使用される。この種のレンズキャップとして、例えば、外縁部分で１８０度対向する２か所に半径方向に移動可能な可動部を設け、これらの可動部を外側に向けて付勢した構成を有し、紛失を防止するために、紐で撮影レンズに連結されるものが提案されている。このレンズキャップでは、一対の可動部を指で挟み込んで可動部を内側に寄せ、鏡筒先端に位置させてから、指を離して可動部が鏡筒の内周面に装着される。しかし、このレンズキャップによれば、小さな可動部を指で挟み込むことが必要で、操作し易いものとは言い難い。また、紛失防止のための紐が撮影時に邪魔になるという難点がある。
【０００３】
そこで操作性を改善するため、特許文献１（特開２００４―２５８５９５号公報）では、３６０°旋回が可能で、かつ開き角度を任意の位置に設定することができるレンズキャップが提案されている。このレンズキャップは、全周に溝（２）が設けられたレンズ筒（１）に適用され、その溝（２）にはまり込む突起（３）と蝶番部（４）が設けられた旋回リング（５）と、蝶番部（６）を設けたレンズキャップ（７）とから構成される。旋回リング（５）にレンズキャップ（７）を組付け、蝶番部（４）及び蝶番部（６）にボルト（８）を通し、ナット（９）で締付けて組み立てられる。レンズキャップ（７）は、旋回リング（５）に対して開閉自在、又は、３６０度旋回自在であり、レンズ筒（１）に対して着脱自在である、とされている。
【先行技術文献】
【特許文献】
【０００４】
【特許文献１】特開２００４−２５８５９５号公報
【発明の概要】
【発明が解決しようとする課題】
【０００５】
しかしながら、特許文献１に記載されたレンズキャップは、複雑な構造でしかもレンズ鏡筒に溝加工が必要となるので、実用性の点で大きな問題がある。
【０００６】
本発明は、上記実情に鑑みて提案され、簡素な構造で構成することができ、レンズ鏡筒に溝加工を行う必要がなく、紛失の虞もなく、かつ、操作性にも優れるレンズキャップを提供することを目的とする。
【課題を解決するための手段】
【０００７】
上記目的を達成するために、本発明のレンズキャップは、連結部が設けられた中空円板状のベース部材と、前記連結部に連結され、前記ベース部材に対して回動可能となる蓋部材とを有し、前記ベース部材の外周側に、被押圧部と解除部とを有し、前記被押圧部が押圧されることで前記解除部により前記蓋部材を前記ベース部材から開放して回動可能とする操作部材が設けられるとともに、前記操作部材に包囲された位置にベース側係合部が設けられ、前記蓋部材に、前記ベース側係合部に係合する蓋側係合部が設けられていることを特徴とする。
【０００８】
特に、上記レンズキャップにおいて、蓋部材に着脱自在に嵌装されるカバー部材を有することが好ましい。
【発明の効果】
【０００９】
本発明によれば、操作部材の被押圧部を指で押し込むだけで、蓋部材を開放することができて操作性に優れる。しかも、全閉状態と全開状態で蓋部材をベース部材に保持することができ、撮影を行うときに取り外す必要がなくなって紛失の虞がない。ベース部材、蓋部材及び操作部材という３つの部材を少なくとも備えることで構成することができ、簡素な構造である。
【００１０】
また、様々なデザインが施されたカバー部材を交換しながら蓋部材に嵌装することができ、ユーザーに個性を発揮する機会を提供することができる。
【図面の簡単な説明】
【００１１】
【図１】本発明の一実施形態に係るレンズキャップを示す分解斜視図である。
【図２】図１のレンズキャップを組み立てた状態を示す斜視図である。
【図３】図２のレンズキャップからカバー部材（遮光板）を取り外した状態を示す斜視図である。
【図４】図２のレンズキャップにおける要部（連結部）を断面で示す拡大断面図である。
【図５】図２のレンズキャップにおける開放した状態を示す斜視図である。
【図６】図２のＡ−Ａ線断面を拡大して示す拡大断面図である。
【図７】図６に対応させて、図２のレンズキャップにおける係合が解除される経過を示す拡大断面図である。
【発明を実施するための形態】
【００１２】
以下、本発明に係るレンズキャップの一実施形態を、図面とともに詳述する。なお、この一実施形態は、本発明を具現化した１つの例示であって、これに限定されるものではない。本発明は、特許請求の範囲に記載された事項を逸脱することがなければ、種々の設計変更を行うことが可能である。以下の説明で、同一機能部分は同一の参照符号で示す。
【００１３】
図１及び図２に示すように、本発明に係るレンズキャップ１は、レンズ鏡筒（不図示）に着脱自在に装着されるリング状の第１枠部材２及び第２枠部材２０と、これらの第１枠部材２及び第２枠部材２０が組み付けられるベース部材３と、ベース部材３に対して回動可能に連結される蓋部材４と、蓋部材４に着脱自在に装着されるカバー部材としての遮光板５と、を有している。
【００１４】
第１枠部材２は、リング状で、例えば金属製（例えば、Ａｌ合金等の非鉄合金など）のものが採用される。外周側に螺旋状の溝が形成された溝部と、周方向に回転可能な回転部とからなる。第１枠部材２は、溝部を通じてレンズ鏡筒にねじ込まれることで、レンズ鏡筒に着脱自在に装着される。また、レンズ鏡筒に装着されたときには、回転部を通じて周方向に３６０度回転可能である。なお、第１枠部材２は、例えば、レンズフィルターの枠体で代用することができる。
【００１５】
第２枠部材２０は、リング状で、例えば金属製（例えば、Ａｌ合金等の非鉄合金など）のものが採用される。第１枠部材２とでベース部材３の後述する内周部３６を挟み込んで、ベース部材３に組み付けられる。
【００１６】
特に、第１枠部材２と第２枠部材２０とは、図６、図７に示すように、相互に嵌合可能な構造を有する。これにより、第１枠部材２と第２枠部材２０とでベース部材３の内周部３６を挟み込んだとき、相互に外れることなくベース部材３へ組み付けることが可能となる。
【００１７】
また、ベース部材３は、図１及び図２に示すように、一端側（被写体側）から他端側（レンズ鏡筒側）に向かって傾斜したテーパー状の基部３０と、この基部３０の外周側に形成され、後述する操作部材としての摘み３２を収容して保持する略コ字型の摘み保持部３１と、基部３０の外周側で摘み保持部３１と反対側の位置に設けられ、光軸方向と直交する方向に凹部３３ａ１、凸部３３ｂ１が形成された一対のフランジ部３３ａ、３３ｂと、基部３０の他端側に形成され、ベース部材３で最小径となる内周部３６と、を有する。ベース部材３は、例えば、樹脂（例えば、ＰＣ等のエンジニアリングプラスチックなど）により形成することができる。また、ＡＢＳやＰＰ等のエンジニアリングプラスチック以外の合成樹脂により形成することもできる。
【００１８】
基部３０がテーパー状であるのは、撮影した写真に基部３０が写る虞を排除するためである。また、レンズ鏡筒に入る余分な光を抑えるレンズフードの機能を付加させるためであり、本発明が、撮影を行うときに取り外すことを不要にした構成であることを反映している。また、摘み保持部３１には、略コ字型で包囲されている部分に、断面視略山型の略山型突起３１１が円周方向に幅を有して形成されている（図５、図６及び図７参照）。フランジ部３３ａ、３３ｂは、蓋部材４を回動可能に連結して保持する連結部であり、それぞれ凹部３３ａ１、凸部３３ｂ１を有している。このフランジ部３３ａ、３３ｂの間に、蓋部材４の後述する軸支部４０を連結するのに用いる圧縮コイルバネ３４及びシャフト３５が取付けられる。なお、図６は、図２のＡ−Ａ線断面図である。
【００１９】
摘み３２は、図６及び図７に示すように、操作時に指で押される被押圧部３２１と、この被押圧部３２１が押圧されることにより移動し、閉じた状態のときの蓋部材４に衝突して押し出す解除部３２２とを有する。また、被押圧部３２１が押圧されることにより解除部３２２が移動可能となるように、底面には、レンズ鏡筒側に向かって上昇する傾斜面３２３を有する。この形状により、摘み３２が摘み保持部３１に収容されて保持され、指で被押圧部３２が押圧されたとき、摘み保持部３１が支点となって、傾斜面３２３に沿って摘み３２が傾くことで解除部３２２が移動し、閉じた状態の蓋部材４を押し出して開放することができる。なお、摘み３２が摘み保持部３１に保持される形態は、例えば、相互に凹凸構造等を形成することで達成することができる（図１を参照のこと）。
【００２０】
ベース部材３は、上述したように、内周部３６が第１枠部材２及び第２枠部材２０で挟み込こまれ、第１枠部材２及び第２枠部材２０が組み付けられている。したがって、ベース部材３は、第１枠部材２の回転部を通じてレンズ鏡筒に対し周方向に３６０度回転可能となる。なお、ベース部材は、上述したような構成に代えて、レンズ鏡筒に対し周方向に３６０度回転可能とする構成である限り、第１枠部材及び第２枠部材を備えた一体型として構成することができる。その際には、樹脂、金属のどちらを採用してもよい。
【００２１】
ここで、圧縮コイルバネ３４とシャフト３５とは、フランジ部３３ａ、３３ｂの間に図４に示すような形態で取り付けられる。すなわち、図４に示すように、シャフト３５には凸部３５１が形成され、まず、シャフト３５の凸部３５１に圧縮コイルバネ３４を取り付け、この状態でシャフト３５及び圧縮コイルバネ３４を蓋部材４の後述する軸支部４０の収容部に挿入する。続いて、フランジ部３３ｂの凸部３３ｂ１へ軸支部４０の凹部４０ａを嵌合して押し込み、シャフト３５の凸部３５１が形成されてない側の端部を軸支部４０の収容部内へ収容する。さらに、この収容部の開放端をフランジ部３３ａの凹部３３ａ１に位置させ、圧縮コイルバネ３４の付勢力を働かせて、シャフト３５の凸部３５１が形成されてない側の端部を、フランジ部３３ａの凹部３３ａ１に嵌合するのである。これにより、ベース部材３と蓋部材４との回動可能な連結を、圧縮コイルバネ３４の付勢力を利用することで簡素かつ容易に実現している。
【００２２】
蓋部材４は、図１及び図２に示すように、中空円板状に形成され、その外周側にベース部材３のフランジ部３３ａ、３３ｂ間に支持される軸支部４０が設けられている。この軸支部４０には、圧縮コイルバネ３４及びシャフト３５を挿入する収容部と、フランジ部３３ｂの凸部３３ｂ１へ嵌合する凹部４０ａとが形成されている（図４を参照のこと）。また、蓋部材４は、ベース部材３の摘み保持部３１に対応する位置に、摘み保持部３１及び摘み３２を略隠ぺいし得る大きさの突出体４１が形成されている。
【００２３】
この突出体４１には、図６及び図７に示すように、摘み保持部３１に形成された略山型突起３１１に係合する下向きの略山型下向き突起４１１を含む延出部４１０が、レンズ鏡筒側へ延出させて設けられている。なお、蓋部材４が中空円板状であるのは、その中空部に遮光板５を着脱自在に装着させるためである（図３を参照のこと）。
【００２４】
また、図１及び図２に示すように、遮光板５は円板状で、その被写体側となる前面５１に適宜のデザインが施されている。裏面には、図５に示すように、蓋部材４の中空部の周縁に嵌合する複数（例えば円周方向に沿って等角度間隔に形成される）の嵌合部５２が設けられている。この嵌合部５２が蓋部材４の中空部の周縁に嵌合することで、遮光板５を蓋部材４に着脱自在に嵌装することができる。
【００２５】
本発明に係るレンズキャップ１は、次のような手順で組立てることができる。すなわち、図１に示すように、蓋部材４の軸支部４０にコイルバネ３４とシャフト部材３５を挿入（収容）し、この状態で軸支部４０をベース部材３のフランジ部３３ａ、３３ｂに差し込むことで、ベース部材３のフランジ部３３ａ、３３ｂに蓋部材４を組み付ける。また、蓋部材４に、所望のデザインが施された遮光板５を嵌装する。さらに、第１枠部材２と第２枠部材２０とを、ベース部材３の内周部３６を挟んで組み付ける。この第１枠部材２の溝部をレンズ鏡筒の先端にネジ込めば、レンズ鏡筒にレンズキャップ１を着脱自在に装着することができる。なお、ベース部材３には、あらかじめ摘み保持部３１に摘み３２を収容して保持させてから、組み立て始めることが便宜である。
【００２６】
レンズキャップ１は、撮影しないとき、蓋部材４の延出部４１０における略山型下向き突起４１１を、ベース部材３の略山型突起３１１に係合させることで、図２に示すような蓋部材４の閉じた状態（全閉状態）となる。特に、図６に示すように、この全閉状態では、延出部４１０が摘み３２で押さえ込まれて、略山型下向き突起４１１が略山型突起３１１に密着して係合しているので、略山型突起３１１と略山型下向き突起４１１との係合状態が外部応力によって不意に解除されることもない。
【００２７】
さらに、撮影する場合、摘み３２の被押圧部３２１を指で押圧すると、略山型突起３１１と略山型下向き突起４１１との係合状態が解除され、圧縮コイルバネの付勢力によって、蓋部材４は全閉状態から約１８０°だけ回転して、図５に示すような蓋部材４の開いた状態（全開状態）となる。具体的には、図６の全閉状態において、摘み３２の被押圧部３２１が指で押圧されると、傾斜面３２３によって解除部３２２が蓋部材４側に移動して蓋部材４に衝突し、これに伴い延出部４１０が被写体側（蓋部材４側）に押し出される。そして、図７に示すように、解除部３２２によって延出部４１０が被写体側に押し出されると、略山型下向き突起４１１が延出部４１０の撓みを伴って略山型突起３１１に乗り上げ、ついには乗り越えて係合状態が解除される。略山型突起３１１と略山型下向き突起４１１との係合状態が解除されると、上述したように圧縮コイルバネの付勢力により、図５に示すような蓋部材４の開いた状態（全開状態）が完成する。
【００２８】
したがって、本発明に係るレンズキャップ１では、被押圧部３２１を指で押し込むだけの操作で蓋部材４を開放することができて、操作性に優れる。しかも、撮影を行うときに取り外す必要がないので紛失の虞がない。ベース部材３と蓋部材４と摘み３２という３つの部材を少なくとも備えれば優れる操作性が実現されるため、簡素な構成のレンズキャップ１ということができる。また、前面に様々なデザインが施された遮光板５を交換しながら、これを蓋部材４に嵌装することができ、ユーザーが所有する自身のレンズ鏡筒を各人の嗜好に合ったものとすることができる。
【００２９】
以上、一実施形態として本発明を具現化した１つの例示を説明したが、本発明は、特許請求の範囲に記載された事項を逸脱することがなければ、種々の設計変更を行うことが可能である。例えば、上述した一実施形態では、ベース部材３のベース側係合部として略山型突起３１１を、蓋部材４の蓋側係合部として略山型下向き突起４１１を含む延出部４１０を例示しているが、ベース側係合部を略山型下向き突起含む延出部とし、蓋側係合部を略山型突起とする形態であってもよい。
【００３０】
このような形態の場合、操作部材（摘み）により延出部を蓋部材へ向けて飛び出すようにして蓋部材を押し出して、この押し出しとともに略山型突起略と山型下向き突起との係合が解除される仕組みを構築することができる。なお、操作部材（摘み）により延出部を蓋部材へ向けて飛び出させるための部品や、蓋部材の閉まりやすさ等を考慮すると、上記一実施形態が好ましい形態といえる。その他、ベース側係合部や蓋側係合部の形状等も、本発明により得られる効果を具備する適宜の係合状態を作り出せる限り、種々の形状等を採用することができる。ベース部材と蓋部材の連結部の構造も、上記実施形態で説明した以外に、フランジ部に形成したピン孔を通じて連結する構造等、本発明により得られる効果を具備する限り、種々の構造を採用することができる。
【００３１】
また、本発明に係るレンズキャップでは、ベース部材と蓋部材との連結部の構造を工夫し、ノッチ付きの蓋部材となるようにして構成することができる。この構成を付加することにより、蓋部材を使った簡易なサンシェード機能を備えることができる。
【００３２】
このほか、本発明は、蓋部材とカバー部材とを一体化したレンズキャップの構成も、特許請求の範囲に含まれる。すなわち、上述した一実施形態における蓋部材とカバー部材とを別体化した構成は、本発明の好ましい形態の一例であって、ユーザーの嗜好に合わせることができるという付加価値を提供するものである。
【符号の説明】
【００３３】
１：レンズキャップ
２：第１枠部材
２０：第２枠部材
３：ベース部材
３０：基部
３１：摘み保持部
３１１：略山型突起（ベース側係合部）
３２：摘み（操作部材）
３２１：被押圧部
３２２：解除部
３２３：傾斜面
３３ａ：フランジ部
３３ａ１：凹部
３３ｂ：フランジ部
３３ｂ１：凸部
３４：圧縮コイルバネ
３５：シャフト
３５１：凸部
３６：内周部
４：蓋部材
４０：軸支部
４０ａ：凹部
４１：突出体
４１０：延出部
４１１：略山型下向き突起（蓋側係合部）
５：遮光板（カバー部材）
５１：前面
５２：嵌合部
【図１】
2013161033.tif 000003
【図２】
2013161033.tif 000004
【図３】
2013161033.tif 000005
【図４】
2013161033.tif 000006
【図５】
2013161033.tif 000007
【図６】
2013161033.tif 000008
【図７】
2013161033.tif 000009